(57)【要約】【課題】記録ファイルを再生しなくても、録画中に任意に不要部分を指定できるようにして、簡単な操作によって不要部分を削除する。【解決手段】録画の開始とともに、映像を映し出す。不要部分が始まると、一時停止キーを操作して、開始点を指定する。さらに録画が進み、不要部分の終わりになると、一時停止キーを操作して、終了点を指定する。不要部分が他にあるときは、開始点および終了点の指定を繰り返す。録画が終了すると、指定した不要部分を一括して削除する。このように録画が終了することにより、不要部分を削除した記録ファイルが作成される。【選択図】　図２
2004095089.tif 000002
【特許請求の範囲】
【請求項１】
入力された記録データをランダムアクセス可能な記録媒体に記録しながら、外部に出力できる記録再生装置であって、記録中に記録データの不要部分を指定する指定手段と、記録終了後に指定された前記不要部分を削除する削除手段とを備えたことを特徴とする記録再生装置。
【請求項２】
入力された記録データをランダムアクセス可能な記録媒体に記録しながら、外部に出力できる記録再生装置であって、記録中に外部出力を参照しながら記録データの不要部分の開始点および終了点を指定する指定手段と、指定された前記不要部分を記憶する記憶手段と、記録終了後に前記不要部分を外部出力する出力手段と、出力された前記不要部分を削除する削除手段とを備えたことを特徴とする記録再生装置。
【請求項３】
複数の不要部分を一括して削除することを特徴とする請求項１または２記載の記録再生装置。
【請求項４】
複数の不要部分のうち、選択された不要部分を削除することを特徴とする請求項１または２記載の記録再生装置。
【発明の詳細な説明】
【０００１】
【発明の属する技術分野】
本発明は、放送番組、音楽等の記録データをランダムアクセス可能な記録媒体に記録して、再生したり、あるいは他の記録媒体に出力する記録再生装置に関する。
【０００２】
【従来の技術】
例えばテレビ放送の番組を録画して再生する記録再生装置において、ランダムアクセス可能な大容量の記録媒体として、ハードディスクやＤＶＤ−Ｒ、ＤＶＤ−ＲＷ等の書き換え可能な記録ディスクを使用している。
【０００３】
番組を録画すると、記録媒体には、映像信号を符号化した記録データが保存され、１つの記録ファイルが作成される。なお、映像信号は、音声信号を含むもの、あるいは音声信号を含まないもののいずれかとされ、以下、これらを映像信号と称する。
【０００４】
ランダムアクセス可能な記録媒体を用いた記録再生装置では、記録ファイルの録画内容のうち、ＣＭ部分、オープニング部分、エンディング部分のような不要部分を削除するカット機能を備えている。
【０００５】
不要部分を削除するには、まず番組を録画して、記録媒体に記録ファイルを作成する。録画終了後、再生中にサーチ機能を利用して不要部分を探したり、あるいはユーザが見ながら不要部分を探す。不要部分が再生されたら、キー操作により開始点を設定する。このとき、再生は一時停止する。開始点を決定すると、再生が始まり、同様に不要部分の終わりを探す。不要部分の終わりに到達したら、終了点を設定する。再生が一時停止して、終了点を決定すると、不要部分が削除される。このとき、終了点を決定しなければ、削除は実行されない。その後、再生が始まり、不要部分が複数あるときは、上記の動作を繰り返す。
【０００６】
また、特許文献１には、録画された記録ファイルを選択してから不要部分の特徴情報を指定し、記録ファイルから不要部分を抽出して、自動的に削除することが記載されている。
【０００７】
【特許文献１】
特開２００１−５４０５６号公報
【０００８】
【発明が解決しようとする課題】
記録ファイルにおける不要部分を削除する場合、録画した後、再生中に不要部分の開始点および終了点を指定してから削除が行われる。不要部分が複数存在するとき、その都度不要部分を指定しなければならない。そのため、ユーザに煩雑な操作を強いることになり、さらに不要部分の削除には、録画のための時間および再生のための時間が必要となり、多大な時間を費やさなければならない。
【０００９】
また、特許文献１では、録画後に再生しなくても不要部分を自動的に削除できるが、不要部分の特徴情報が不明確な場合、不要部分が抽出されず、削除できないおそれがある。しかも、任意に不要部分を指定することができないので、番組等を視聴しながらユーザが不要と判断したような不要部分を削除することはできない。
【００１０】
ところで、ＶＣＲ（ビデオカセットレコーダ）で録画中に一時停止を行うと、録画が停止して、不要部分の録画を回避でき、続けて録画できる。しかし、ハードディスク等のランダムアクセス可能な記録媒体に録画する場合、録画中に一時停止を行うと、録画は停止するが、録画の終了とみなされ、１つの記録ファイルが作成され、録画を再開すると、新規の記録ファイルが作成される。したがって、録画中の１つの記録ファイルが一時停止の時点を境にして、２つの記録ファイルになるといった不具合が発生する。
【００１１】
本発明は、上記に鑑み、記録ファイルを再生しなくても、記録中に任意に不要部分を指定できるようにして、しかも簡単な操作によって、記録ファイルが分割されることなく、不要部分を削除できる記録再生装置を提供することを目的とする。
【００１２】
【課題を解決するための手段】
本発明による課題解決手段は、入力された記録データをランダムアクセス可能な記録媒体に記録しながら、外部に出力できる記録再生装置であって、記録中に記録データの不要部分を指定する指定手段と、記録終了後に指定された前記不要部分を削除する削除手段とを備えたものである。
【００１３】
これによって、記録中に不要部分を指定することができ、記録後に再生しながら不要部分を指定する手間が省ける。したがって、記録の終了とともに不要部分のなくなった記録ファイルを作成でき、効率よく記録ファイルの編集を行える。
【００１４】
具体的には、記録中に外部出力を参照しながら記録データの不要部分の開始点および終了点を指定する指定手段と、指定された前記不要部分を記憶する記憶手段と、記録終了後に前記不要部分を外部出力する出力手段と、出力された前記不要部分を削除する削除手段とを備えたものとする。
【００１５】
ここで、外部出力の形態としては、記録データが映像信号に基づくものであれば、表示して、視聴可能とする。あるいは記録データが音声信号に基づくものであれば、スピーカ等から発声する。
【００１６】
不要部分の指定は、記録と同時に外部出力される映像や音声を参照しながら、不要部分が始まったとき開始点を指定し、不要部分が終わりになったとき終了点を指定することにより行われる。そして、不要部分を記憶しておき、記録終了後に記憶した不要部分を表示、発声等によって出力して、確認してから削除する。
したがって、記録ファイルの必要な部分を間違って削除してしまうことを防止できる。
【００１７】
不要部分を削除するに際して、不要部分が複数あるとき、一括して削除すると、操作回数を少なくすることができる。また、複数の不要部分のうち選択された不要部分だけを削除するようにすると、指定したが選択しなかった不要部分は削除されずに残る。したがって、誤って指定した部分の削除を未然に防止でき、間違いなく不要部分の削除を行える。このとき、記憶した不要部分を１つずつ出力して、選択できるようにする。あるいは、指定した不要部分を全て出力して、その中から選択してもよい。
【００１８】
【発明の実施の形態】
本発明の一実施形態の記録再生装置を図１に示す。本記録再生装置は、ランダムアクセス可能な記録媒体としてハードディスク１を備え、受信部２、記録再生部３、入力部４、表示部５、制御部６から構成される。
【００１９】
入力部４では、リモコン等のキー操作により録画予約、編集等の入力を行い、制御部６は、録画、再生、編集等の制御を行う。テレビ、モニタ等の表示部５は、記録再生部３から出力された映像や入力された操作情報を表示する。
【００２０】
そして、地上波放送や衛星放送、あるいはケーブルネットワークからの受信信号はチューナ等の受信部２に入力される。制御部６では、入力部４から録画信号を受信すると、記録再生部３に録画開始のコマンドを出力して、録画を開始させる。受信した映像信号は、記録再生部３に出力され、記録再生部３において、映像信号の復調やデジタル信号への変換を行い、デジタルの映像信号を符号化してハードディスク１に記録する。ハードディスク１では、所定の領域に記録ファイルを作成し、符号化された映像信号を書き込む。このようにして、ハードディスク１に番組が記録される。また、受信した映像信号は、表示部５やスピーカにも出力され、記録しながら同時に視聴することができる。
【００２１】
記録した番組を再生するときは、記録再生部３がハードディスク１から記録ファイルを読み出して、符号化された映像信号を復号し、アナログ信号に変換して、映像信号を表示部５やスピーカに出力する。
【００２２】
制御部６は、録画後の記録ファイルに対するコピー、つなぐ、わける、カットといった編集機能の１つとして、録画中に不要部分を削除して、記録ファイルを作成する編集削除機能を備えている。すなわち、録画中に表示部５に出力される映像を参照して、キー操作、例えば一時停止キーの操作によりユーザが指定した開始点および終了点に基づいて決定される不要部分をハードディスク１に記憶する機能と、録画中にＯＳＤ機能により指定された不要部分削除情報を表示部５に表示する機能と、録画終了後に記録ファイルから不要部分を削除する機能を有している。
【００２３】
編集削除機能が実行されるときの手順を図２のフローチャートに基づいて説明する。まず、番組の録画を開始する。同時に番組は表示部５にも映し出される。
このとき、一時停止機能の初期化を行う。すなわち、一時停止機能をリセットし、ＰＡＵＳＥ−ＦＬＡＧをオフ、ＣＵＴ−ＣＯＵＮＴおよびＰＡＵＳＥ−ＣＯＵＮＴＥＲをリセットする。なお、ＰＡＵＳＥ−ＦＬＡＧは、一時停止状態かどうかの判断をするものである。ＣＵＴ−ＣＯＵＮＴは、一時停止状態になった回数を示すものである。ＰＡＵＳＥ−ＣＯＵＮＴＥＲは、一時停止期間中の開始から終了までのカウント値であり、ここでは時間を計時する。
【００２４】
ユーザは、番組を見ながらＣＭ等の不要部分になったとき、一時停止キーを押す。制御部６では、ＰＡＵＳＥ−ＦＬＡＧをオンにし、ＣＵＴ−ＣＯＵＮＴを＋１とし、ＰＡＵＳＥ−ＣＯＵＮＴＥＲのカウントを開始することにより、開始点を指定する。このとき、図３に示すように、表示部５に、開始点における映像を表示するとともに、ＰＡＵＳＥ−ＦＬＡＧ、ＣＵＴ−ＣＯＵＮＴ、ＰＡＵＳＥ−ＣＯＵＮＴＥＲの不要部分削除情報を表示して、ユーザに不要部分が開始していることを知らせて、終了点を指定するように促す。一定時間だけ静止画を表示してから、現在の映像を映し出す。この不要部分削除情報を表示中、ＰＡＵＳＥ−ＣＯＵＮＴＥＲのカウント値はアップし続ける。なお、ハードディスク１に録画中、一時停止キーを押しても録画は続行される。
【００２５】
さらに録画が進み、不要部分の終わりになったとき、ユーザが一時停止キーあるいは録画キーを押す。すると、制御部６では、ＰＡＵＳＥ−ＦＬＡＧをオフにし、ＰＡＵＳＥ−ＣＯＵＮＴＥＲのカウントを停止して、そのカウント値を記憶することにより、終了点を指定する。このとき、図４に示すように、不要部分の時間が表示される。その後、不要部分に関する情報をハードディスク１に記憶して、不要部分削除情報を表示部５から消す。
【００２６】
録画が進み、次の不要部分になったとき、上記と同様に一時停止キーの操作を繰り返して、不要部分を指定し、不要部分に関する情報を記憶していく。これを録画終了まで繰り返す。この間、ＣＵＴ−ＣＯＵＮＴは、＋２、＋３と繰り上がっていき、何個目の不要部分であるかをユーザに知らせる。
【００２７】
このようにキー操作を１回するごとに、不要部分の開始点の指定と終了点の指定とが交互に行われる。キー操作を奇数回したとき、最後の終了点は録画の終了時点となる。
【００２８】
録画が終了すると、編集モードが自動的に立ち上がり、記録ファイルから記憶されている不要部分に関する情報に基づいて、不要部分に対応する記録データが削除される。不要部分が複数指定されたときは、これらを一括して削除する。削除されずに、分断されて残った記録データをつなぎ合わす編集を行い、最終的に不要部分のない１つの記録ファイルを作成する。
【００２９】
ここで、録画終了後、編集モードになったとき、記憶している不要部分に関する情報を表示部５に表示するようにしてもよい。図５に示すように、指定した全ての不要部分をサムネイル方式により表示する。表示としては、不要部分の開始点の映像を表示するとともに、ＣＵＴ−ＣＯＵＮＴの値と、ＰＡＵＳＥ−ＣＯＵＮＴＥＲのカウント値、ここでは時間を表示する。
【００３０】
ユーザが不要部分の表示を確認してから、一括して削除することができる。不要部分を間違って指定した場合、取消キーの操作によって編集削除を中止できるようにしておけば、必要な部分が削除されてしまうことを防止できる。この場合、不要部分を削除するには、通常のカット機能を実行すればよい。
【００３１】
また、サムネイル方式により指定した不要部分を表示することを利用して、選択された不要部分だけを削除する分割削除機能を追加してもよい。図６に示すように、録画終了後に編集モードになったとき、指定した全ての不要部分をサムネイル方式により表示する。ここから削除したい不要部分を選択し、削除キーを操作する。すると、選択された不要部分が削除される。各不要部分に対して選択の要否を確認しながら、１つずつ順に削除していく。あるいは、削除したい不要部分を順に選択して、記憶しておき、最後に削除キーの操作によって選択した不要部分を一括して削除する。選択されなかった不要部分は削除されずに残る。これによって、不要部分を１つずつ確認しながら削除できるので、間違って指定した部分が削除されてしまうことを未然に防止できる。
【００３２】
そして、ハードディスク１に録画中、一時停止キーを操作すると、録画の一時停止はなく、ＦＬＡＧ、いわゆるマークが付けられることになる。したがって、同一の記録ファイルのまま、録画は継続されて不要部分だけを削除することができ、記録ファイルが分割されるという不具合は生じない。
【００３３】
なお、本発明は、上記実施形態に限定されるものではなく、本発明の範囲内で上記実施形態に多くの修正および変更を加え得ることは勿論である。記録媒体は、ハードディスクに限らず、書き換え可能なＤＶＤ、ＣＤ、ＭＤ、半導体メモリであってもよい。また、本記録再生装置は、ＨＤＤビデオレコーダ以外に、パソコン、デジタルカメラ、デジタルビデオカメラ等のランダムアクセス可能な記録媒体を搭載したデジタル機器に適用可能である。そして、入力される記録データとしては、映像信号に限らず、音声信号のみであってもよい。この場合、録音中に、ユーザは音楽等の音を聞きながら、例えば曲と曲との間の部分等の不要部分を指定することになる。
【００３４】
【発明の効果】
以上の説明から明らかな通り、本発明によると、記録中に不要部分を指定することにより、記録が終了した時点で不要部分を削除した記録ファイルが作成され、記録後に不要部分を削除するための操作が必要なくなる。したがって、記録ファイルから不要部分を削除するための操作回数を減らすことができ、編集時の操作性の向上を図れる。しかも、不要部分を確認しながら指定することができるので、必要な部分を間違って削除してしまうミスをなくすことができる。
【図面の簡単な説明】
【図１】本発明の一実施形態の記録再生装置の概略ブロック図
【図２】編集削除機能実行時の動作フローチャート
【図３】不要部分の開始点を指定したときの表示画面を示す図
【図４】不要部分の終了点を指定したときの表示画面を示す図
【図５】指定した不要部分のサムネイル画面を示す図
【図６】分割削除機能実行時の動作フローチャート
【符号の説明】
１　　ハードディスク
２　　受信部
３　　記録再生部
４　　入力部
５　　表示部
６　　制御部
【図１】
2004095089.tif 000003
【図２】
2004095089.tif 000004
【図３】
2004095089.tif 000005
【図４】
2004095089.tif 000006
【図５】
2004095089.tif 000007
【図６】
2004095089.tif 000008